(57)【特許請求の範囲】
【請求項１】
複数のビームを放射するマルチビームアンテナを制御するアンテナ制御装置であって、
前記複数のビームのそれぞれに、隣接するビームと異なる無線周波数帯が割り当てられており、前記複数のビームの一部の複数のビームに、同一の無線周波数帯が割り当てられており、
前記同一の無線周波数帯が割り当てられた前記複数のビームのそれぞれが伝送する信号に、前記同一の無線周波数帯の範囲内における互いに異なる周波数の信号を含めて出力させる、アンテナ制御装置。
【請求項２】
前記同一の無線周波数帯が割り当てられた前記複数のビームのそれぞれが伝送する通信信号を生成する通信信号生成部と、
前記同一の無線周波数帯の範囲内における互いに異なる周波数の複数の測定信号を生成する測定信号生成部と、
前記同一の無線周波数帯が割り当てられた前記複数のビームのそれぞれが伝送する前記通信信号に、前記複数の測定信号のそれぞれを合成する信号合成部と
を備える、請求項１に記載のアンテナ制御装置。
【請求項３】
前記測定信号生成部は、前記通信信号との信号比が予め定められた閾値以上小さい前記測定信号を生成する、請求項２に記載のアンテナ制御装置。
【請求項４】
前記予め定められた閾値は、前記通信信号に前記測定信号を合成した場合の前記通信信号の通信品質が、前記通信信号に前記測定信号を合成しない場合の前記通信信号の通信品質よりも、予め定められた値以上低くならないように定められた閾値である、請求項３に記載のアンテナ制御装置。
【請求項５】
前記測定信号は、ＣＷ（Ｃｏｎｔｉｎｕｏｕｓ  Ｗａｖｅ）信号である、請求項２又は３に記載のアンテナ制御装置。
【請求項６】
前記同一の無線周波数帯が割り当てられた前記複数のビームのそれぞれが伝送する通信信号を生成する通信信号生成部と、
前記同一の無線周波数帯の範囲内における互いに異なる周波数の複数の測定信号を生成する測定信号生成部と、
前記同一の無線周波数帯が割り当てられた前記複数のビームのそれぞれが伝送する信号に、前記通信信号生成部によって生成された前記通信信号及び前記測定信号生成部によって生成された前記測定信号のいずれか一方のみを含めて出力させる信号切替部と
をさらに備える、請求項１に記載のアンテナ制御装置。
【請求項７】
複数のビームのそれぞれに隣接するビームと異なる無線周波数帯が割り当てられており、前記複数のビームの一部の複数のビームに同一の無線周波数帯が割り当てられている、前記複数のビームを放射するマルチビームアンテナに、前記同一の無線周波数帯が割り当てられた前記複数のビームのそれぞれが伝送する信号に、前記同一の無線周波数帯の範囲内における互いに異なる周波数の信号を含めて出力させる出力制御段階と、
前記同一の無線周波数帯が割り当てられた前記複数のビームのうちの一のビームによってカバーされるエリアにおいて、前記複数のビームのそれぞれが伝送する信号に含まれる、前記同一の無線周波数帯の範囲内における互いに異なる周波数の信号の信号強度を測定する信号強度測定段階と
を備える、測定方法。
【請求項８】
前記信号強度測定段階において測定された複数の前記信号強度を加算する信号強度加算段階
をさらに備える、請求項７に記載の測定方法。
【請求項９】
前記出力制御段階は、前記マルチビームアンテナに、前記同一の無線周波数帯が割り当てられた前記複数のビームのうちの前記一のビーム以外の複数のビームのそれぞれが伝送する通信信号に、前記同一の無線周波数帯の範囲内における互いに異なる周波数の測定信号を合成して出力させる、請求項７又は８に記載の測定方法。
【発明の詳細な説明】
【技術分野】
【０００１】
本発明は、アンテナ制御装置及び測定方法に関する。
【背景技術】
【０００２】
周波数帯域を繰り返し利用して地上端末との間で相互通信を行う衛星搭載用マルチビームアンテナ装置が知られていた（例えば、特許文献１参照）。
［先行技術文献］
［特許文献］
［特許文献１］特開２００９−１７１３０８号公報
【発明の概要】
【発明が解決しようとする課題】
【０００３】
同一の無線周波数帯が割り当てられた複数のビーム間の干渉を効率的に測定できる技術が望まれていた。
【課題を解決するための手段】
【０００４】
本発明の第１の態様によれば、複数のビームを放射するマルチビームアンテナを制御するアンテナ制御装置であって、複数のビームのそれぞれに、隣接するビームと異なる無線周波数帯が割り当てられており、複数のビームの一部の複数のビームに、同一の無線周波数帯が割り当てられており、同一の無線周波数帯が割り当てられた複数のビームのそれぞれが伝送する信号に、同一の無線周波数帯の範囲内における互いに異なる周波数の信号を含めて出力させるアンテナ制御装置が提供される。
【０００５】
上記アンテナ制御装置は、上記同一の無線周波数帯が割り当てられた上記複数のビームのそれぞれが伝送する通信信号を生成する通信信号生成部と、上記同一の無線周波数帯の範囲内における互いに異なる周波数の複数の測定信号を生成する測定信号生成部と、上記同一の無線周波数帯が割り当てられた上記複数のビームのそれぞれが伝送する上記通信信号に、上記複数の測定信号のそれぞれを合成する信号合成部とを備えてよい。上記測定信号生成部は、上記通信信号との信号比が予め定められた閾値以上小さい上記測定信号を生成してよい。上記予め定められた閾値は、上記通信信号に上記測定信号を合成した場合の上記通信信号の通信品質が、上記通信信号に上記測定信号を合成しない場合の上記通信信号の通信品質よりも、予め定められた値以上低くならないように定められた閾値であってよい。上記測定信号は、ＣＷ（Ｃｏｎｔｉｎｕｏｕｓ  Ｗａｖｅ）信号であってよい。
【０００６】
上記アンテナ制御装置は、上記同一の無線周波数帯が割り当てられた上記複数のビームのそれぞれが伝送する通信信号を生成する通信信号生成部と、上記同一の無線周波数帯の範囲内における互いに異なる周波数の複数の測定信号を生成する測定信号生成部と、上記同一の無線周波数帯が割り当てられた上記複数のビームのそれぞれが伝送する信号に、上記通信信号生成部によって生成された上記通信信号及び上記測定信号生成部によって生成された上記測定信号のいずれか一方のみを含めて出力させる信号切替部とを備えてよい。
【０００７】
本発明の第２の態様によれば、複数のビームのそれぞれに隣接するビームと異なる無線周波数帯が割り当てられており、複数のビームの一部の複数のビームに同一の無線周波数帯が割り当てられている、複数のビームを放射するマルチビームアンテナに、同一の無線周波数帯が割り当てられた複数のビームのそれぞれが伝送する信号に、同一の無線周波数帯の範囲内における互いに異なる周波数の信号を含めて出力させる出力制御段階と、同一の無線周波数帯が割り当てられた複数のビームのうちの一のビームによってカバーされるエリアにおいて、複数のビームのそれぞれが伝送する信号に含まれる、同一の無線周波数帯の範囲内における互いに異なる周波数の信号の信号強度を測定する信号強度測定段階とを備える測定方法が提供される。
【０００８】
上記測定方法は、上記信号強度測定段階において測定された複数の上記信号強度を加算する信号強度加算段階を備えてよい。上記出力制御段階は、上記マルチビームアンテナに、上記同一の無線周波数帯が割り当てられた上記複数のビームのうちの上記一のビーム以外の複数のビームのそれぞれが伝送する通信信号に、上記同一の無線周波数帯の範囲内における互いに異なる周波数の測定信号を合成して出力させてよい。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】アンテナ制御装置２００の一例を概略的に示す。
【図２】複数のビームのそれぞれが伝送する伝送信号、及び測定装置４００が受信する受信信号の一例を概略的に示す。
【図３】アンテナ制御装置２００の機能構成の一例を概略的に示す。
【図４】端末受信電力対データレートの関係の一例を示すグラフ５００を示す。
【図５】測定装置４００の機能構成の一例を概略的に示す。
【図６】アンテナ制御装置２００による処理の流れの一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、アンテナ制御装置２００の一例を概略的に示す。本実施形態に係るアンテナ制御装置２００は、複数のビームを放射するマルチビームアンテナを制御する。
【００１３】
アンテナ制御装置２００は、例えば、マルチビームアンテナを有する衛星１００を制御する。アンテナ制御装置２００は、衛星１００と有線接続されてよく、また、衛星１００と無線接続されてもよい。また、アンテナ制御装置２００は、衛星１００に内蔵されてもよい。
【００１４】
衛星１００は、複数のビーム１１０を形成する。複数のビーム１１０のそれぞれには、隣接するビームと異なる無線周波数帯が割り当てられてよく、複数のビーム１１０の一部の複数のビームには、同一の無線周波数帯が割り当てられてよい。このように、衛星１００は、同一の無線周波数帯を繰り返し利用することによって周波数利用効率を向上できる。
【００１５】
しかしながらその一方で、衛星１００によって形成されるビーム１１０はサイドローブレベルをゼロにできないので、同一の無線周波数帯を繰り返し利用する場合、同一の無線周波数帯が割り当てられた複数のビーム１１０間に干渉が発生してしまう場合がある。特に、衛星１００が有するマルチビームアンテナは、太陽光によって熱変形が生じる場合があり、その場合にサイドローブレベルが増大してしまう場合がある。
【００１６】
本実施形態に係るアンテナ制御装置２００は、マルチビームアンテナが放射する複数のビーム間の干渉レベルを効率的に測定できるようにするべく、同一の無線周波数帯が割り当てられた複数のビーム１１０のそれぞれが伝送する信号に、測定用の信号を含めて出力させる。そして、同一の無線周波数帯が割り当てられた複数のビーム１１０のうちの一のビームによってカバーされるエリアに配置された測定装置によって、複数のビームのそれぞれが伝送する信号に含まれる測定用の信号の信号強度を測定する。
【００１７】
図２は、複数のビームのそれぞれが伝送する伝送信号と、測定装置が受信する受信信号の一例を概略的に示す。図２は、複数のビームのうち、ビーム１３０、１３１、１３２、１３３、１３４、１３５、１３６に同一の無線周波数帯が割り当てられている例を示す。
【００１８】
伝送信号３１０、３２０、３３０、３４０、３５０、３６０は、アンテナ制御装置２００による制御に従って衛星１００が出力する、ビーム１３１、１３２、１３３、１３４、１３５、１３６が伝送する伝送信号の一例を示す。伝送信号３１０、３２０、３３０、３４０、３５０、３６０のそれぞれには、通信信号３１２、３２２、３３２、３４２、３５２、３６２と、ＣＷ信号３１４、３２４、３３４、３４４、３５４、３６４とが含まれる。アンテナ制御装置２００は、伝送信号３１０、３２０、３３０、３４０、３５０、３６０のそれぞれにＣＷ信号３１４、３２４、３３４、３４４、３５４、３６４を含めさせる場合、測定装置４００が配置されたエリアをカバーするビーム１３０については、伝送信号を伝送させないように制御してよい。
【００１９】
通信信号３１２、３２２、３３２、３４２、３５２、３６２は、ビーム１３１、１３２、１３３、１３４、１３５、１３６に割り当てられた同一の無線周波数帯を利用する通信信号の一例を示す。通信信号は、データ通信及び音声通信等の信号である。
【００２０】
ＣＷ信号３１４、３２４、３３４、３４４、３５４、３６４は、アンテナ制御装置２００による制御に従って伝送信号３２０、３３０、３４０、３５０、３６０のそれぞれに含められた測定信号の一例を示す。アンテナ制御装置２００は、衛星１００に、伝送信号３２０、３３０、３４０、３５０、３６０のそれぞれに、ビーム１３１、１３２、１３３、１３４、１３５、１３６に割り当てられた同一の無線周波数帯の範囲内における互いに異なる周波数のＣＷ信号を含めて出力させてよい。
【００２１】
受信信号３８０は、ビーム１３０によってカバーされるエリアに配置された測定装置４００によって受信された信号の信号強度の一例を示す。受信信号３８０には、ＣＷ信号３８６、３８８、３９０、３９２、３９４、３９６が含まれる。
【００２２】
ＣＷ信号３８６、３８８、３９０、３９２、３９４、３９６は、ＣＷ信号３１４、３２４、３３４、３４４、３５４、３６４に対応する。ＣＷ信号３８６、３８８、３９０、３９２、３９４、３９６は、測定装置４００に対して、ビーム１３１、１３２、１３３、１３４、１３５、１３６によって伝送されるＣＷ信号３１４、３２４、３３４、３４４、３５４、３６４のそれぞれの受信信号強度を示す。
【００２３】
図２に示すように、アンテナ制御装置２００が、同一の無線周波数帯が割り当てられた複数のビームのそれぞれが伝送する信号に、同一の無線周波数帯の範囲内における互いに異なる周波数のＣＷ信号を含めて出力させることにより、複数のビームのうちの一のビームによってカバーされるエリアにおける、他の複数のビームのそれぞれのサイドローブレベル、すなわち、干渉レベルを測定することができる。またさらに、他の複数のビームのそれぞれの干渉レベルを足し合わせることにより、干渉レベルの総和をも容易に把握することができる。例えば、干渉レベルの総和が予め定められた閾値より高い場合、複数のビームのうちの一部のビームの周波数を変更する、通信トラフィックを低減させる、等の対応をとることができる。このとき、複数のビームのうち他のビームよりも干渉レベルが高いビームを優先して、周波数を変更したり、通信トラフィックを低減させたりすることもできる。
【００２４】
上述のように、本実施形態に係るアンテナ制御装置２００及び測定装置４００によれば、同一の周波数帯が割り当てられた複数のビーム間の干渉を効率的に測定することができる。なお、ここでは、測定信号としてＣＷ信号を用いる例を挙げて説明したが、これに限らず、測定信号として変調信号等の他の信号を用いてもよい。
【００２５】
図３は、アンテナ制御装置２００の機能構成の一例を概略的に示す。アンテナ制御装置２００は、通信信号生成部２０２、測定信号生成部２０４、信号合成部２０６、信号出力制御部２０８、及び信号切替部２１０を備える。
【００２６】
なお、アンテナ制御装置２００がこれらのすべての構成を備えることは必須とは限らない。例えば、アンテナ制御装置２００は、通信信号生成部２０２を備えず、他の装置が備える通信信号生成部２０２によって生成された通信信号を受信してもよい。通信信号生成部２０２を備える他の装置は、例えば、地上に配置された基地局等である。また、アンテナ制御装置２００は、測定信号生成部２０４を備えず、他の装置が備える測定信号生成部２０４によって生成された測定信号を受信してもよい。測定信号生成部２０４を備える他の装置は、例えば、地上に配置されたゲートウェイ及びフィーダリンク局等である。
【００２７】
通信信号生成部２０２は、通信信号を生成する。通信信号生成部２０２は、同一の無線周波数帯が割り当てられた複数のビームのそれぞれが伝送する通信信号を生成してよい。
【００２８】
測定信号生成部２０４は、測定信号を生成する。測定信号生成部２０４は、同一の無線周波数帯の範囲内における互いに異なる周波数の複数の測定信号を生成してよい。測定信号生成部２０４は、測定信号が通信信号に与える影響をできる限り少なくする又は影響をなくすべく、通信信号生成部２０２によって生成される通信信号との信号比が予め定められた閾値以上小さい測定信号を生成してよい。例えば、測定信号生成部２０４は、通信信号との信号比が、通信信号に測定信号を合成した場合の通信信号の通信品質が、通信信号に測定信号を合成しない場合の通信信号の通信品質よりも予め定められた値以上低くならないように定められた閾値以上小さい測定信号を生成する。当該閾値は、実験を行うこと、シミュレーションを行うこと等によって定められてよい。
【００２９】
信号合成部２０６は、通信信号生成部２０２によって生成された、同一の無線周波数帯が割り当てられた複数のビームのそれぞれが伝送する通信信号に、測定信号生成部２０４によって生成された複数の測定信号のそれぞれを合成する。信号合成部２０６は、同一の無線周波数帯が割り当てられた複数のビームのすべてについて、通信信号と測定信号とを合成してよい。
【００３０】
また、信号合成部２０６は、同一の無線周波数帯が割り当てられた複数のビームのうち、カバーエリアに測定装置４００が配置されているビームが伝送する信号については、通信信号及び測定信号が含まれないようにしてよい。例えば、信号合成部２０６は、同一の無線周波数帯が割り当てられた複数のビームのうち、カバーエリアに測定装置４００が配置されているビーム以外の複数のビームについてのみ、通信信号に測定信号を合成する。この場合、通信信号生成部２０２は、カバーエリアに測定装置４００が配置されているビームについては、通信信号を生成しなくてもよい。また、測定信号生成部２０４は、カバーエリアに測定装置４００が配置されているビームについては、測定信号を生成しなくてもよい。なお、信号合成部２０６は、測定信号生成部２０４によって生成された測定信号の信号レベルを変更して、通信信号に測定信号を合成してもよい。
【００３１】
信号合成部２０６は、測定信号が通信信号に与える影響をできる限り少なくする又は影響をなくすべく、通信信号と測定信号との信号比が予め定められた閾値以上小さくなるように、通信信号に測定信号を合成してよい。例えば、信号合成部２０６は、通信信号と測定信号との信号比が、通信信号に測定信号を合成した場合の通信信号の通信品質が通信信号に測定信号を合成しない場合の通信信号の通信品質よりも予め定められた値以上低くならないように定められた閾値以上小さくなるように、通信信号と測定信号とを合成する。当該閾値は、実験を行うこと、シミュレーションを行うこと等によって定められてよい。
【００３２】
信号出力制御部２０８は、マルチビームアンテナに、同一の無線周波数帯が割り当てられた複数のビームのそれぞれが伝送する信号に、測定信号生成部２０４によって生成された同一の無線周波数帯の範囲内における互いに異なる周波数の信号を含めて出力させる。
【００３３】
信号出力制御部２０８は、マルチビームアンテナに、同一の無線周波数帯が割り当てられた複数のビームのそれぞれが伝送する信号に、信号合成部２０６によって、同一の無線周波数帯が割り当てられた複数のビームのそれぞれが伝送する通信信号に複数の測定信号のそれぞれが合成された信号を含めて出力させてもよい。これにより、例えば、衛星１００によるデータ通信サービス及び音声通信サービス等のサービスを継続させたまま、干渉レベルの測定を実施することができる。
【００３４】
信号出力制御部２０８は、マルチビームアンテナに、同一の無線周波数帯が割り当てられた複数のビームのうちの、カバーエリアに測定装置４００が配置されているビームが伝送する信号には通信信号を含めずに測定信号生成部２０４によって生成された測定信号を含めて出力させ、当該複数のビームのうちのそれ以外の複数のビームが伝送する信号には、信号合成部２０６によって通信信号に測定信号が合成された信号を含めて出力させてもよい。同一の無線周波数帯が割り当てられた複数のビームのうち、カバーエリアに測定装置４００が配置されている一のビームが伝送する信号の測定装置４００による受信強度は、他のビームが伝送する信号の測定装置４００による受信強度に比べて高い。したがって、測定装置４００における、一のビームが伝送する信号に含まれる通信信号の受信信号強度が、他のビームが伝送する信号に含まれる測定信号の受信信号強度に比べて大幅に大きくなる場合があり、測定信号が通信信号に埋もれてしまう場合がある。これに対して、一のビームが伝送する信号に通信信号を含めないようにすることで、測定装置４００において受信する、他の複数のビームが伝送する信号に含まれる測定信号が、当該一のビームが伝送する信号に含まれる通信信号に埋もれてしまうことを防止することができる。
【００３５】
信号切替部２１０は、同一の無線周波数帯が割り当てられた複数のビームのそれぞれが伝送する信号に、通信信号生成部２０２によって生成された通信信号及び測定信号生成部２０４によって生成された測定信号のいずれか一方のみを含めて、信号出力制御部２０８に出力させる。信号切替部２１０は、例えば、測定指示を受領していない状態では、同一の無線周波数帯が割り当てられた複数のビームのそれぞれが伝送する信号に、通信信号生成部２０２によって生成された通信信号を含めて出力させる。そして、信号切替部２１０は、測定指示を受領して測定処理を実行している間は、同一の無線周波数帯が割り当てられた複数のビームのそれぞれが伝送する信号に、測定信号生成部２０４によって生成された測定信号を含めて出力させる。これにより、測定処理を実行している間は、通信信号の送信を停止させて、測定信号のみが送信されるようにできるので、測定装置４００による測定信号の測定精度を向上させることができる場合がある。なお、信号切替部２１０は、測定信号生成部２０４によって生成された測定信号の信号レベルを変更して出力させてもよい。
【００３６】
なお、本実施形態では、アンテナ制御装置２００が通信信号生成部２０２、測定信号生成部２０４、信号合成部２０６、信号出力制御部２０８、及び信号切替部２１０を備える場合と、これらの構成のうち、通信信号生成部２０２を備えない場合、及び測定信号生成部２０４を備えない場合について説明したが、これに限らない。アンテナ制御装置２００は、通信信号生成部２０２及び測定信号生成部２０４に加えて、信号合成部２０６及び信号切替部２１０を備えなくてもよい。この場合、信号出力制御部２０８は、他の装置が備える信号合成部２０６によって合成された合成信号を受信して、マルチビームアンテナに、当該合成信号を出力させてよい。またこの場合、信号出力制御部２０８は、他の装置が備える信号切替部２１０から、通信信号及び測定信号のいずれか一方を受信して、マルチビームアンテナに、受信した通信信号又は測定信号を出力させてよい。信号合成部２０６及び信号出力制御部２０８を備える他の装置は、例えば、地上に配置されたフィーダリンク局等である。この場合、フィーダリンク局がアンテナ制御装置の一例となってよい。
【００３７】
図４は、端末受信電力対データレートの関係の一例を示すグラフ５００を示す。グラフ５００の横軸は、通信信号及びＣＷ信号を受信する通信端末の受信電力を示す。グラフ５００の縦軸は、通信端末のデータレートを示す。グラフ５００は、ＣＷ信号が通信信号のデータレートに与える影響を表し、通信信号とＣＷ信号との信号比が１５ｄＢの場合、２０ｄＢの場合、及びＣＷ信号を含めない場合のデータレートを示す。
【００３８】
図４に示すとおり、本例によれば、端末受信電力が−９０ｄＢｍにおいて、信号比が２０ｄＢであれば、ＣＷ信号を含めない場合と比べてデータレートの低下がみられない一方、信号比が１５ｄＢだと、ＣＷ信号を含めない場合と比べてデータレートの低下がみられる。ここで、本実施形態に係る測定信号生成部２０４は、通信信号生成部２０２によって生成される通信信号との信号比が２０ｄＢ以上小さいＣＷ信号を生成してよい。これにより、端末受信電力が−９０ｄＢｍにおいて、ＣＷ信号を含めない場合に比べて、ＣＷ信号を含めた場合の方が、データレートが低下してしまうことを防止できる。
【００３９】
図５は、測定装置４００の機能構成の一例を概略的に示す。測定装置４００は、信号強度測定部４０２、個別出力部４０４、及び加算出力部４０６を備える。
【００４０】
信号強度測定部４０２は、同一の無線周波数帯が割り当てられた複数のビームのそれぞれが伝送する信号に含まれる、同一の無線周波数帯の範囲内における互いに異なる周波数の測定信号の信号強度を測定する。個別出力部４０４は、信号強度測定部４０２によって測定された複数の信号強度のそれぞれを個別に出力する。個別出力部４０４は、個別出力部４０４は、例えば、信号強度測定部４０２によって測定された複数の信号強度のそれぞれを表示出力する。個別出力部４０４は、信号強度測定部４０２によって測定された複数の信号強度のそれぞれを音声出力してもよい。
【００４１】
加算出力部４０６は、信号強度測定部４０２によって測定された複数の信号強度を加算した結果を出力する。加算出力部４０６は、例えば、信号強度測定部４０２によって測定された複数の信号強度を加算した結果を表示出力する。加算出力部４０６は、信号強度測定部４０２によって測定された複数の信号強度を加算した結果を音声出力してもよい。
【００４２】
図６は、アンテナ制御装置２００による処理の流れの一例を概略的に示す。図６に示す処理は、衛星１００が有するマルチビームアンテナが放射する複数のビームの一部の、同一の無線周波数帯が割り当てられた複数のビームについての測定処理を開始する指示をアンテナ制御装置２００が受け付けた状態を開始状態として説明する。図６に示す各処理は、アンテナ制御装置２００が備える制御部が主体となって実行される。
【００４３】
ステップ（ステップをＳと省略して記載する場合がある。）６０２では、同一の無線周波数帯が割り当てられた複数のビームのうちの一のビームを特定する。Ｓ６０４では、Ｓ６０２において特定された一のビームが、測定装置４００が配置されている測定エリアに対するビームであるか否かを判定する。測定エリアに対するビームでないと判定した場合、Ｓ６０６に進み、測定エリアに対するビームであると判定した場合、Ｓ６１２に進む。
【００４４】
Ｓ６０６では、通信信号に対して測定信号を合成することによって、通信に影響があるか否かを判定する。例えば、通信信号と測定信号との信号比が予め定められた閾値よりも小さい場合、通信に影響があると判定される。通信に影響がないと判定された場合、Ｓ６０８に進み、通信に影響があると判定された場合、Ｓ６１０に進む。
【００４５】
Ｓ６０８では、信号出力制御部２０８が、衛星１００に、Ｓ６０２において特定された一のビームが伝送する信号に、通信信号生成部２０２によって生成された通信信号に対して測定信号生成部２０４によって生成された測定信号を合成した合成信号を含めた信号の出力を開始させる。Ｓ６１０では、信号出力制御部２０８が、衛星１００に、Ｓ６０２において特定された一のビームが伝送する信号に、測定信号生成部２０４によって生成された測定信号を含めた信号の出力を開始させる。
【００４６】
Ｓ６１２では、同一の無線周波数帯が割り当てられた複数のビームの全ビームについて処理が完了したか否かを判定する。完了していないと判定した場合、Ｓ６０２に戻って次のビームを特定する。完了したと判定した場合、Ｓ６１４に進む。
【００４７】
Ｓ６１４では、測定装置４００が備える信号強度測定部４０２が、受信信号の信号強度を測定する。Ｓ６１６では、個別出力部４０４が、Ｓ６１４において測定された複数の信号強度のそれぞれを個別に出力する。Ｓ６１８では、加算出力部４０６が、Ｓ６１４において測定された複数の信号強度を加算した結果を出力する。そして、処理が終了する。
【００４８】
なお、ここでは、Ｓ６０６において、通信に影響がないと判定された場合に合成信号を含めた信号の出力を開始させ、通信に影響が有ると判定された場合に測定信号を含めた信号の出力を開始させる場合を例に挙げて説明したが、これに限らない。例えば、通信に影響がないと判定された場合には合成信号を含めた信号の出力を開始させ、通信に影響が有ると判定された場合に、通信信号と測定信号との信号比が閾値以下となるように合成した合成信号を含めた信号を出力させるように構成してもよい。
【００４９】
以上の説明において、アンテナ制御装置２００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、アンテナ制御装置２００として機能してもよい。プログラムは、コンピュータ読み取り可能な媒体又はネットワークに接続された記憶装置から、アンテナ制御装置２００の少なくとも一部を構成するコンピュータにインストールされてよい。
【００５０】
コンピュータにインストールされ、コンピュータを本実施形態に係るアンテナ制御装置２００として機能させるプログラムは、ＣＰＵ等に働きかけて、コンピュータを、アンテナ制御装置２００の各部としてそれぞれ機能させる。これらのプログラムに記述された情報処理は、コンピュータに読込まれることにより、ソフトウエアとアンテナ制御装置２００のハードウエア資源とが協働した具体的手段として機能する。
【００５１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５２】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【００５３】
１００  衛星、１１０  ビーム、１３０  ビーム、１３１  ビーム、１３２  ビーム、１３３  ビーム、１３４  ビーム、１３５  ビーム、１３６  ビーム、２００  アンテナ制御装置、２０２  通信信号生成部、２０４  測定信号生成部、２０６  信号合成部、２０８  信号出力制御部、２１０  信号切替部、３１０  伝送信号、３１２  通信信号、３１４  ＣＷ信号、３２０  伝送信号、３２２  通信信号、３２４  ＣＷ信号、３３０  伝送信号、３３２  通信信号、３３４  ＣＷ信号、３４０  伝送信号、３４２  通信信号、３４４  ＣＷ信号、３５０  伝送信号、３５２  通信信号、３５４  ＣＷ信号、３６０  伝送信号、３６２  通信信号、３６４  ＣＷ信号、３８０  受信信号、３８６  ＣＷ信号、３８８  ＣＷ信号、３９０  ＣＷ信号、３９２  ＣＷ信号、３９４  ＣＷ信号、３９６  ＣＷ信号、４００  測定装置、４０２  信号強度測定部、４０４  個別出力部、４０６  加算出力部、５００  グラフ
【要約】
【課題】同一の周波数帯が割り当てられた複数のビーム間の干渉を効率的に測定できる技術が望まれていた。
【解決手段】複数のビームを放射するマルチビームアンテナを制御するアンテナ制御装置であって、複数のビームのそれぞれに、隣接するビームと異なる無線周波数帯が割り当てられており、複数のビームの一部の複数のビームに、同一の無線周波数帯が割り当てられており、同一の無線周波数帯が割り当てられた複数のビームのそれぞれが伝送する信号に、同一の無線周波数帯の範囲内における互いに異なる周波数の信号を含めて出力させるアンテナ制御装置を提供する。
【選択図】図２【図３】
0006027658.tif 000002
【図４】
0006027658.tif 000003
【図５】
0006027658.tif 000004
【図６】
0006027658.tif 000005
【図１】
0006027658.tif 000006
【図２】
0006027658.tif 000007